(57)【要約】【課題】使用されている状態の建築物にも適用できるように、外側からだけで実施可能なＡＬＣパネルからなる横壁の補強方法および補強構造を提供する。【解決手段】ＡＬＣパネル（１）の短辺小口面寄りが、パネル内側の間柱（２）に固定され、横壁の外側から、短辺小口面、あるいは短辺小口面に設けられた目地のうちの少なくとも一方に、ドリル等で孔（５）を開け、ボルト（６）を孔（５）に通し、ボルト（６）の一端を間柱（２）にスタッド溶接により固定し、ボルト（６）の他端に、外側からＡＬＣパネル（１）を固定可能な平板部材（７）を取り付ける。ボルト（６）の頭部は、間柱（２）にスタッド溶接で固定され、平板部材（７）への取付けには、ナットを用いる。従って、横壁の端を除けば、短辺小口面が向かい合う２つのＡＬＣパネル（１）を、１つの平板部材（７）が同時に補強する。【選択図】図１
2007284957.tif 000002
【特許請求の範囲】
【請求項１】
ＡＬＣパネルの短辺小口面寄りを、パネル内側の躯体に固定するＡＬＣパネルからなる横壁の補強方法であり、横壁の外側から、短辺小口面、あるいは短辺小口面に設けられた目地のうちの少なくとも一方に、孔を開け、条部材を該孔に通し、該条部材の一端を前記躯体に固定し、該条部材の他端に、外側から前記ＡＬＣパネルを固定可能な平板部材を取り付けることを特徴とするＡＬＣパネルからなる横壁の補強方法。
【請求項２】
前記条部材はボルトであり、頭部が前記躯体にスタッド溶接で固定され、平板部材への取付けには、ナットを用いることを特徴とする請求項１に記載のＡＬＣパネルからなる横壁の補強方法。
【請求項３】
前記平板部材に、カバープレートで化粧をすることを特徴とする請求項１または２に記載のＡＬＣパネルからなる横壁の補強方法。
【請求項４】
短辺小口面が向かい合う２つのＡＬＣパネルを、１つの前記平板部材が同時に補強することを特徴とするＡＬＣパネルからなる横壁の補強方法。
【請求項５】
条部材と、平板部材とからなり、ＡＬＣパネルの短辺小口面寄りを、パネル内側の躯体に固定するＡＬＣパネルからなる横壁を補強する補強構造であり、前記平板部材は、横壁の外側から前記ＡＬＣパネルに当接し、前記条部材は、横壁の内側から、短辺小口面、あるいは短辺小口面に設けられた目地のうちの少なくとも一方に開けられた孔に通され、前記条部材の一端は、前記躯体に固定され、前記条部材の他端が、前記平板部材に取り付けられることを特徴とするＡＬＣパネルからなる横壁の補強構造。
【請求項６】
前記条部材はボルトであり、該ボルトの頭部と前記躯体が固定されており、平板部材へナットで取付けられていることを特徴とする請求項５に記載のＡＬＣパネルからなる横壁の補強構造。
【請求項７】
前記平板部材を化粧するカバープレートを備えることを特徴とする請求項５または６に記載のＡＬＣパネルからなる横壁の補強構造。
【請求項８】
短辺小口面が向かい合う２つのＡＬＣパネルが、１つの前記平板部材により同時に補強されていることを特徴とするＡＬＣパネルからなる横壁の補強構造。
【発明の詳細な説明】
【技術分野】
【０００１】
本発明は、ＡＬＣパネルからなる横壁の補強方法および補強構造に関し、特に、既存の建築物に使用されたＡＬＣパネルからなる横壁が、経年劣化などにより、ＡＬＣパネルの取付け部の耐力が低下している場合に適用される。
【背景技術】
【０００２】
建築物は、過去の大きな地震を教訓に、耐震性能が強化されてきた。それに伴い、ＡＬＣパネルからなる横壁の取付け構法も、時代の変遷を受けて、耐久性および耐震性能を強化した構法に移行してきている。
【０００３】
ＡＬＣパネルによる外壁構造としては、例えば、特開平７−２１７０２３号公報に、角形鋼または溝形鋼にＡＬＣパネルを取り付ける構法が記載されているが、一般的には、建築物の外側からＡＬＣパネルに座掘りを加工し、座掘りに貫通孔を開け、貫通孔に通したボルトで、ＡＬＣパネルを躯体に取付けるという横壁ボルト止め構法が採用されてきた。
【０００４】
従来の横壁ボルト止め構法について、図面を参照して説明する。図２は、横壁ボルト止め構法を示す斜視図である。一部のＡＬＣパネルは、説明のために図示を省略している。また、一部を拡大して示す。
【０００５】
ＡＬＣ横壁ボルト止め構法は、間柱（２）または下地鋼材（３）に、フックボルト（４）などを溶接して、フックボルト（４）を介して、ＡＬＣパネル（１）を取り付ける。
【０００６】
しかし、従来の横壁ボルト止め構法により造られた横壁では、経年劣化したＡＬＣパネルの物性は一般的に低下するため、経年劣化により取付け部分の老朽化が進み、ボルト取付部周辺のパネルの亀裂や破損、あるいはボルトの錆などで、耐久性に若干、問題のある建築物がストックされてきている。さらに、今後、予想される大地震に対応するためにも、地球環境のためにも、既存の建築物について、安全を考慮した延命対策は、緊急の課題である。
【０００７】
前述のように、経年劣化したＡＬＣパネルは、一般的に物性が低下するが、建築物の維持管理や、置かれている環境などにより、経年劣化の程度はまちまちである。さらに、今後の継続的な使用を一概に判断することはできないが、２０年以上、経過したＡＬＣパネルを備える建築物は、専門家による劣化診断を受けて、適切なメンテナンスを行う必要がある。
【０００８】
このような劣化診断の結果で分かることは、かなりの劣化を受けたＡＬＣパネルでも、曲げ耐力は十分であるように、安全側に設計されている。しかし、取付け部の強度については、詳細な調査により、必要に応じて補強工事が必要になる場合がある。
【０００９】
しかし、劣化診断を受けるような既存の建築物は、ほとんどが使用されている状態にあり、かつ、内側には内装が施されていることが一般的であるため、適切な補強工事が選択しにくいという問題がある。
【００１０】
【特許文献１】特開平７−２１７０２３号公報
【発明の開示】
【発明が解決しようとする課題】
【００１１】
本発明は、使用されている状態の建築物にも適用できるように、外側からだけで実施可能なＡＬＣパネルからなる横壁の補強方法および補強構造を提供することを目的とする。
【課題を解決するための手段】
【００１２】
本発明のＡＬＣパネルからなる横壁の補強方法は、ＡＬＣパネルの短辺小口面寄りを、パネル内側の躯体に固定するＡＬＣパネルからなる横壁の補強方法であり、横壁の外側から、短辺小口面、あるいは短辺小口面に設けられた目地のうちの少なくとも一方に、孔を開け、条部材を該孔に通し、該条部材の一端を前記躯体に固定し、該条部材の他端に、外側から前記ＡＬＣパネルを固定可能な平板部材を取り付ける。
【００１３】
さらに、前記条部材はボルトであり、頭部が前記躯体にスタッド溶接で固定され、平板部材への取付けには、ナットを用いることが望ましい。
【００１４】
さらに、前記平板部材に、カバープレートで化粧をすることが望ましい。
【００１５】
さらに、短辺小口面が向かい合う２つのＡＬＣパネルを、１つの前記平板部材が同時に補強することが望ましい。
【００１６】
本発明のＡＬＣパネルからなる横壁の補強構造は、条部材と、平板部材とからなり、ＡＬＣパネルの短辺小口面寄りを、パネル内側の躯体に固定するＡＬＣパネルからなる横壁を補強する補強構造であり、前記平板部材は、横壁の外側から前記ＡＬＣパネルに当接し、前記条部材は、横壁の外側から、短辺小口面、あるいは短辺小口面に設けられた目地のうちの少なくとも一方に開けられた孔に通され、前記条部材の一端は、前記躯体に固定され、前記条部材の他端が、前記平板部材に取り付けられる。
【００１７】
さらに、前記条部材はボルトであり、該ボルトの頭部と前記躯体が固定され、平板部材へナットで取付けられていることが望ましい。
【００１８】
さらに、前記平板部材を化粧するカバープレートを備えることが望ましい。
【００１９】
さらに、短辺小口面が向かい合う２つのＡＬＣパネルが、１つの前記平板部材により同時に補強されていることが望ましい。
【発明の効果】
【００２０】
本発明により、使用されている状態の建築物にも適用でき、外側からだけで実施可能なＡＬＣパネルからなる横壁の補強方法および補強構造を提供することが可能となる。
【００２１】
さらに、間柱または下地鋼材に取り付けた補強ボルトを介して、金物によりＡＬＣパネルの短辺を挟み込むため、自由に支持面積を選択することが可能であり、取付け部分にかかる必要強度に応じた対応ができる。
【００２２】
さらに、既存の建築物の補強工事が容易になったことにより、大地震におけるＡＬＣパネルの脱落防止や、欠け、亀裂などの被害を最小限に食い止めることができることにより、安心して建築物を継続使用することが可能となる。
【００２３】
また、継続使用可能なことにより、既存パネルの廃棄が不必要であるということから、地球環境に対しても顕著な効果を得ることができた。
【発明を実施するための最良の形態】
【００２４】
本発明のＡＬＣパネルからなる横壁の補強方法および補強構造について、図面を参照して説明する。図１は、本発明のＡＬＣ横壁パネルの補強方法を示す一連の斜視図である。一部のＡＬＣパネルは、説明のために図示を省略している。
【００２５】
前述のように、既設の横壁では、ＡＬＣパネル（１）の短辺小口面寄りが、パネル内側の間柱（２）に固定されている。
【００２６】
図１（ａ）に示したように、横壁の外側から、短辺小口面、あるいは短辺小口面に設けられた目地のうちの少なくとも一方に、ドリル等で孔（５）を開ける。その後、図１（ｂ）に示したように、ボルト（６）を孔（５）に通し、ボルト（６）の一端を間柱（２）に固定する。さらに、図１（ｃ）に示したように、ボルト（６）の他端に、外側からＡＬＣパネル（１）を固定可能な平板部材（７）を取り付ける。
【００２７】
ボルト（６）の頭部は、間柱（２）にスタッド溶接で固定される。また、ボルト（６）を平板部材（７）へ取付ける箇所には、ナットを用いる。さらに、図示しないが、平板部材（７）に、公知技術のいずれかによるカバープレートで化粧をする。横壁の端では、１つのＡＬＣパネル（１）を補強することになるが、その他では、短辺小口面が向かい合う２つのＡＬＣパネル（１）を、１つの平板部材（７）が同時に補強し、図示したように、上下にも、複数のＡＬＣパネル（１）が同時に補強されることになる。
【００２８】
以上のようにして得られた横壁の補強構造では、平板部材（７）は、横壁の外側からＡＬＣパネル（１）に当接し、ボルト（６）は、横壁の外側から、短辺小口面、あるいは短辺小口面に設けられた目地のうちの少なくとも一方に開けられた孔（５）に通され、ボルト（６）の一端は、間柱（２）にスタッド溶接で固定され、ボルト（６）の他端が、平板部材（７）にナットで取り付けられる。
【図面の簡単な説明】
【００２９】
【図１】本発明のＡＬＣ横壁パネルの補強方法を示す一連の斜視図である。
【図２】ＡＬＣ横壁ボルト止め構法を示す斜視図である。
【符号の説明】
【００３０】
１  ＡＬＣパネル
２  間柱
３  下地鋼材
４  フックボルト
５  孔
６  ボルト
７  平板部材
【図１】
2007284957.tif 000003
【図２】
2007284957.tif 000004